(57)【要約】【課題】利用者が各電話網の契約による通話料金と、電話する電話機を意識することなく、自動的に安価な方の電話網を選択及び通話できる自動電話網選択システムを提供する。【解決手段】携帯電話網３を介して通話が可能な携帯電話機１と、固定電話網４を介して通話が可能な固定電話機２とを有し、携帯電話機１は、固定電話機２と短距離無線経由で通信する短距離無線手段と、携帯電話網３経由で通信する携帯電話手段と、短距離無線手段と携帯電話手段を選択制御する無線インターフェース選択制御手段とを備え、固定電話機２は、携帯電話機１と短距離無線経由で通信する短距離無線手段と、固定回線経由で通信する回線制御手段と、通話料金テーブルと、その通話料金テーブルを基に通話先電話番号により携帯電話網３と固定電話網４の通話料を比較し、安価な方の電話網を選択して通話状態とする自動電話網選択制御手段とを備えた自動電話網選択システム。【選択図】　図１
2004072588.tif 000002
【特許請求の範囲】
【請求項１】
携帯電話網を介して通話が可能な携帯電話機と、固定電話網を介して通話が可能な固定電話機とを有し、
前記携帯電話機は、固定電話機と短距離無線経由で通信する短距離無線手段と、携帯電話網経由で通信する携帯電話手段と、前記短距離無線手段と前記携帯電話手段を選択制御する無線インターフェース選択制御手段とを備え、
前記固定電話機は、携帯電話機と短距離無線経由で通信する短距離無線手段と、固定回線経由で通信する回線制御手段と、契約に基づいた通話料金テーブルと、その通話料金テーブルを基に通話先電話番号により携帯電話網と固定電話網の通話料を比較し、安価な方の電話網を選択して通話状態とする自動電話網選択制御手段とを備えたことを特徴とする自動電話網選択システム。
【請求項２】
携帯電話網を介して通話が可能な携帯電話機と、固定電話網を介して通話が可能な固定電話機と、契約に基づいた通話料金テーブルを内蔵し、この通話料金テーブルを基に通話先電話番号により携帯電話網と固定電話網の通話料を比較し、安価な方の電話網を選択して通話状態とする自動電話網選択制御するコンピュータと、固定電話機または携帯電話機と短距離無線経由で通信する短距離無線手段及び前記コンピュータと接続するためのコンピュータインターフェース手段から構成される無線装置とを有し、
前記携帯電話機は、固定電話機または前記無線装置と短距離無線経由で通信する短距離無線手段と、携帯電話網経由で通信する携帯電話手段と、前記短距離無線手段と前記携帯電話手段を選択制御する無線インターフェース選択制御手段とを備え、
前記固定電話機は、携帯電話機と短距離無線経由で通信する短距離無線手段と、固定回線経由で通信する回線制御手段とを備えたことを特徴とする自動電話網選択システム。
【発明の詳細な説明】
【０００１】
【発明の属する技術分野】
本発明は、携帯電話に代表される移動体通信と固定電話において、複雑化する各電話網の契約内容を考慮した安価な方の電話網を自動的に選択するシステムに関する。
【０００２】
【従来の技術】
近年、携帯電話及びＰＨＳに代表される移動体通信は大きな発展を遂げ、その加入者数は固定電話を凌駕する存在となりつつある。その結果、家庭等において固定電話機と携帯電話機の両方が存在していることが一般的であるにも拘わらず、依然その両端末は有機的に接続されるに至っていない。
【０００３】
以下、従来の自動電話網選択システムについて説明する。図５は従来の自動電話網選択システムのイメージ図である。また、図６は屋内にて携帯電話機（ＰＨＳ等）を携帯電話親機と接続して固定電話網経由で通話する従来の携帯電話コードレシステムのイメージ図である。
【０００４】
図５において、従来の自動電話網選択システムは、通話先電話番号により自動的に安価な方の固定電話網を選択及び通話できる固定電話機ａ１００と、市内固定電話網１０１と、電話局等に設置されている交換機ａ１０２と、固定通信事業者Ａが提供する固定電話網Ａ１０３と、固定通信事業者が提供する固定電話網Ｂ１０４と、電話局等に設置されている交換機ｂ１０５と、通話先の市内固定電話網１０６と、通話先の固定電話機ｂ１０７とから構成されている。
【０００５】
図６において、従来の携帯電話コードレスシステムは、携帯電話網３と、固定電話網４と、携帯電話親機の通話圏内に入ると、自動的に携帯電話網３とは接続せずに携帯電話親機１１１のコードレス子機として動作する携帯電話機１１０と、携帯電話機１１０が通話圏内に入ると無線接続することが可能なよう携帯電話機１１０の無線インターフェース手段を内蔵している携帯電話親機１１１とから構成されている。
【０００６】
【発明が解決しようとする課題】
しかしながら従来の自動電話網選択システムでは、固定電話網提供事業者の中から安価な方の通話料の固定電話網を自動的に選択及び接続するだけであり、携帯電話網はその自動選択及び接続の対象とはなっていなかった。また、携帯電話機が携帯電話親機との通話圏内に入っても、利用者が意識して安価な方の電話網と接続しない限り、固定電話網と接続することしかできなかった。
【０００７】
本発明は、携帯電話機と固定電話機が通話圏内に入って通話先電話番号を入力した端末のまま、利用者が意識することなく安価な方の電話網を自動的に選択及び通話できる自動電話網選択システムを提供することを目的とする。
【０００８】
【課題を解決するための手段】
本発明の自動電話網選択システムは、携帯電話機と固定電話機に互いに無線接続可能な短距離無線手段を内蔵し、固定電話機に通話料金テーブル及び自動電話網選択制御手段を内蔵したものである。
【０００９】
この発明によれば、携帯電話機と固定電話機が通話圏内に入って通話先電話番号を入力した電話機のまま、利用者が意識することなく安価な方の電話網を自動的に選択及び通話できる自動電話網選択システムが得られる。
【００１０】
【発明の実施の形態】
本発明の請求項１に記載の発明は、携帯電話網を介して通話が可能な携帯電話機と、固定電話網を介して通話が可能な固定電話機とを有し、携帯電話機は、固定電話機と短距離無線経由で通信する短距離無線手段と、携帯電話網経由で通信する携帯電話手段と、短距離無線手段と携帯電話手段を選択制御する無線インターフェース選択制御手段とを備え、固定電話機は、携帯電話機と短距離無線経由で通信する短距離無線手段と、固定回線経由で通信する回線制御手段と、契約に基づいた通話料金テーブルと、その通話料金テーブルを基に通話先電話番号により携帯電話網と固定電話網の通話料を比較し、安価な方の電話網を選択して通話状態とする自動電話網選択制御手段とを備えたことを特徴とする自動電話網選択システムとしたものであり、携帯電話機と固定電話機が互いに内蔵している短距離無線手段の通話圏内となった場合、電話をかけようと通話先電話番号を入力した電話機を使ったまま、固定電話機に内蔵された通話料金テーブルで携帯電話網と固定電話網の通話料金比較を行い、安価な方の通話料の電話網が自動選択されるという作用を有する。
【００１１】
本発明の請求項２に記載の発明は、携帯電話網を介して通話が可能な携帯電話機と、固定電話網を介して通話が可能な固定電話機と、契約に基づいた通話料金テーブルを内蔵し、この通話料金テーブルを基に通話先電話番号により携帯電話網と固定電話網の通話料を比較し、安価な方の電話網を選択して通話状態とする自動電話網選択制御するコンピュータと、固定電話機または携帯電話機と短距離無線経由で通信する短距離無線手段及びコンピュータと接続するためのコンピュータインターフェース手段から構成される無線装置とを有し、携帯電話機は、固定電話機または無線装置と短距離無線経由で通信する短距離無線手段と、携帯電話網経由で通信する携帯電話手段と、短距離無線手段と携帯電話手段を選択制御する無線インターフェース選択制御手段とを備え、固定電話機は、携帯電話機と短距離無線経由で通信する短距離無線手段と、固定回線経由で通信する回線制御手段とを備えたことを特徴とする自動電話網選択システムとしたものであり、携帯電話機、固定電話機とコンピュータに接続された無線装置が互いに内蔵している短距離無線手段の通話圏内となった場合、電話をかけようと通話先電話番号を押した端末の短距離無線手段はコンピュータに接続された無線装置に通話先電話番号を送信し、通話先電話番号を受信した無線装置はコンピュータへ通話先電話番号を出力し、コンピュータ内の通話料金テーブルで携帯電話網と固定電話網の通話料金比較を行い、安価な方の通話料の電話網を自動選択し、その結果を無線装置経由で送信し、電話をかけようと通話先電話番号を押した電話機を使ったまま通話が可能となるという作用を有する。
【００１２】
以下、本発明の実施形態について、図面を参照しながら説明する。
【００１３】
（実施の形態１）
図１は本発明の実施の形態１における自動電話網選択システムのイメージ図であり、図２は本発明の実施の形態１における自動電話網選択システムのブロック図である。図１において、実施の形態１における自動電話網選択システムは、短距離無線部を内蔵する携帯電話機１と、短距離無線部を内蔵する固定電話機２と、携帯電話網３と、固定電話網４とから構成される。
【００１４】
携帯電話機１は、図２に示すように、電話番号等を入力するキーパッド１１と、携帯電話機と固定電話機が直接通信するための短距離無線部１３Ａと、携帯電話機本来の機能を実現する携帯電話部１４と、短距離無線部１３Ａと携帯電話部１４を選択制御する無線インターフェース選択制御部１２と、音声入力のためのマイク１５と、音声出力のためのスピーカ１６とから構成される。
【００１５】
また固定電話機２は、固定電話機と携帯電話機が直接通信するための短距離無線部１３Ｂと、音声入力のためのマイク１９と、音声出力のためのスピーカ２０と、電話番号等を入力するキーパッド２１と、契約にしたがった携帯電話と固定電話の通話料金テーブル２３と、通話料金テーブル２３を基に通話先電話番号により携帯電話網と固定電話網の通話料を比較し、安価な方の電話網を選択して通話状態とする自動電話網選択制御部１７と、回線制御部１８と、回線ケーブル２２とから構成される。
【００１６】
以上のように構成された自動電話網選択システムについて以下その動作を説明する。
【００１７】
図１のように携帯電話機１と固定電話機２が短距離無線の通話圏内に存在している場合、自動電話網選択システムは以下のような動作を行う。
【００１８】
携帯電話機１から電話する場合、キーパッド１１から通話先電話番号が入力されると、無線インターフェース選択制御部１２は短距離無線部１３Ａを選択し、その通話先電話番号を短距離無線経由で固定電話機２に送信する。固定電話機２の短距離無線部１３Ｂで受信された通話先電話番号は自動電話網選択制御部１７に入力される。自動電話網選択制御部１７は通話先電話番号に対する携帯電話網３と固定電話網４の通話料金データを通話料金テーブル２３から読み込む。そして、通話料金を比較して、より安価な方の通話料金の電話網を選択する。
【００１９】
携帯電話網３が選択された場合、自動電話網選択制御部１７は短距離無線部１３Ｂを選択し、携帯電話機１に対して短距離無線経由で発呼命令を送信する。携帯電話機１の短距離無線部１３Ａで受信された発呼命令は無線インターフェース選択制御部１２に入力され、無線インターフェース選択制御部１２は携帯電話部１４を選択して、通話先と携帯電話網３経由で接続し、携帯電話機１のマイク１５及びスピーカ１６を使って音声通信可能となる。
【００２０】
また、固定電話網４が選択された場合、自動電話網選択制御部１７は回線制御部１８経由で発呼し、固定電話網４経由で通話先電話番号と接続する。固定電話網４経由で通話先電話番号と接続すると、自動電話網選択制御部１７は短距離無線経由で接続完了通知を送信する。接続完了通知を受信した携帯電話機１の無線インターフェース選択制御部１２は携帯電話機１のマイク１５及びスピーカ１６を短距離無線経由で固定電話機２と接続し、音声通信可能となる。
【００２１】
固定電話機２から電話する場合、キーパッド２１から通話先電話番号が入力されると、通話先電話番号は自動電話網選択制御部１７に入力される。自動電話網選択制御部１７は通話先電話番号に対する携帯電話網３と固定電話網４の通話料金データを通話料金テーブル２３から読み込む。そして、通話料金を比較して、より安価な方の通話料金の電話網を選択する。
【００２２】
携帯電話網３が選択された場合、自動電話網選択制御部１７は短距離無線部１３Ｂを選択し、携帯電話機１に対して短距離無線経由で発呼命令を送信する。携帯電話機１の短距離無線部１３Ａで受信された発呼命令は、無線インターフェース選択制御部１２に入力される。発呼命令を入力した無線インターフェース選択制御部１２は携帯電話部１４を選択して、通話先と携帯電話網３経由で通話先電話番号と接続する。携帯電話網３で通話先電話番号と接続すると、無線インターフェース選択制御部１２は短距離無線経由で接続完了通知を送信する。接続完了通知を受信した自動電話網選択制御部１７は固定電話機２のマイク１９とスピーカ２０を短距離無線経由で携帯電話機１と接続し、音声通信可能となる。
【００２３】
また、固定電話網４が選択された場合、自動電話網選択制御部１７は回線制御部１８経由で発呼し、固定電話網４経由で通話先電話番号と接続し、固定電話機２のマイク１９及びスピーカ２０を使って音声通信可能となる。
【００２４】
以上のように構成することにより、電話をかけようと通話先電話番号を押した端末を使ったまま通話が可能となる、安価な方の電話網を自動的に選択及び接続することが可能となる。
【００２５】
（実施の形態２）
図３は本発明の実施の形態２における自動電話網選択システムのイメージ図であり、図４は本発明の実施の形態２における自動電話網選択システムのブロック図である。なお、携帯電話機１の構成は図２の携帯電話機１と同一であるので、図示を省略している。
【００２６】
図３において、実施の形態２における自動電話網選択システムは、短距離無線部を内蔵する携帯電話機１と、短距離無線部を内蔵する固定電話機２と、携帯電話網３と、固定電話網４と、通話料金テーブルを内蔵しているパーソナルコンピュータ（以下ＰＣという）５と、短距離無線部及びＰＣインターフェース部を内蔵している無線装置６とから構成される。
【００２７】
固定電話機２は、図４に示すように、通話先の携帯電話機１、固定電話機２及び無線装置６間で通信するための短距離無線部１３Ｂと、固定電話機本来の機能を実現する回線制御部１８と、音声入力のためのマイク１９と、音声出力のためのスピーカ２０と、回線ケーブル２２と、短距離無線制御部２５とから構成される。
【００２８】
また無線装置６は、通話先の携帯電話機１、固定電話機２及び無線装置６間で通信するための短距離無線部１３Ｃと、無線装置６とＰＣ５を接続するＰＣインターフェース部２４とから構成されている。
【００２９】
以上のように構成された自動電話網選択システムについて以下その動作を説明する。
【００３０】
図３のように携帯電話機１、固定電話機２及び無線装置６が短距離無線の通話圏内に存在している場合、自動電話網選択システムは以下のような動作を行う。
【００３１】
携帯電話機１から電話する場合、キーパッド１１から通話先電話番号が入力されると、無線インターフェース選択制御部１２は短距離無線部１３Ａを選択し、その通話先電話番号を無線装置６に、携帯電話機発呼要求を固定電話機２にそれぞれ短距離無線経由で送信する。無線装置６の短距離無線部１３Ｃで受信された通話先電話番号はＰＣインターフェース部２４経由でＰＣ５に出力される。通話先電話番号を入力したＰＣ５は、通話先電話番号に対する携帯電話網３と固定電話網４の通話料金データをＰＣ５内蔵の通話料金テーブル２３で通話料金比較し、より安価な方の通話料金の電話網を選択する。ＰＣ５が選択した電話網データはＰＣインターフェース部２４経由で短距離無線部１３Ｃから携帯電話機１と固定電話機２に対して送信される。
【００３２】
携帯電話網３が選択された場合、その旨を通知する電話網データを受信した携帯電話機１の無線インターフェース選択制御部１２は、携帯電話部１４を選択して、通話先と携帯電話網３経由で接続し、携帯電話機１のマイク１５及びスピーカ１６を使って音声通信可能となる。
【００３３】
また、固定電話網４が選択された場合、その旨を通知する電話網データを受信した固定電話機２の短距離無線制御部２５は、回線制御部１８経由で発呼し、固定電話網４経由で通話先電話番号と接続する。固定電話網４経由で通話先電話番号と接続すると、事前に携帯電話機発呼要求を受信している短距離無線制御部２５は、短距離無線経由で接続完了通知を送信する。接続完了通知を受信した携帯電話機１の無線インターフェース選択制御部１２は携帯電話機１のマイク１５及びスピーカ１６を短距離無線経由で固定電話機２と接続し、音声通信可能となる。
【００３４】
固定電話機２から電話する場合、キーパッド２１から通話先電話番号が入力されると、短距離無線制御部２５は短距離無線部１３Ｂを選択し、その通話先電話番号を無線装置６に、固定電話機発呼要求を携帯電話機１にそれぞれ短距離無線経由で送信する。無線装置６の短距離無線部１３Ｃで受信された通話先電話番号はＰＣインターフェース部２４経由でＰＣ５に出力される。通話先電話番号を入力したＰＣ５は、通話先電話番号に対する携帯電話網３と固定電話網４の通話料金データをＰＣ５内蔵の通話料金テーブルで通話料金比較し、より安価な方の通話料金の電話網を選択する。ＰＣ５が選択した電話網データはＰＣインターフェース部２４経由で短距離無線部１３Ｃから携帯電話機１と固定電話機２に対して送信される。
【００３５】
携帯電話網３が選択された場合、その旨を通知する電話網データを受信した携帯電話機１の無線インターフェース選択制御部１２は、携帯電話部１４経由で発呼し、携帯電話網３経由で通話先電話番号と接続する。携帯電話網３経由で通話先電話番号と接続すると、事前に固定電話機発呼要求を受信している無線インターフェース選択制御部１２は、短距離無線経由で接続完了通知を送信する。接続完了通知を受信した固定電話機２の短距離無線制御部２５は携帯電話機１のマイク１５及びスピーカ１６を短距離無線経由で固定電話機２と接続し、音声通信可能となる。
【００３６】
また、固定電話網４が選択された場合、その旨を通知する電話網データを受信した固定電話機２の短距離無線制御部２５は、回線制御部１８を選択し、通話先と固定電話網４経由で接続し、固定電話機２のマイク１９及びスピーカ２０を使って音声通信可能となる。
【００３７】
以上のように構成することにより、ＰＣを介在させて、利用者が手に取った端末で、安価な方の電話網を自動的に選択及び接続することが可能となる。
【００３８】
【発明の効果】
以上のように本発明によれば、互いに普及率の高い固定電話機と携帯電話機が短距離無線圏内に存在するだけで、いずれの電話機からでも、それぞれの契約を反映させた通話料金テーブルを参照し、通話先電話番号により安価な方の電話網を自動選択して通話が可能となる。
【図面の簡単な説明】
【図１】本発明の実施の形態１における自動電話網選択システムのイメージ図
【図２】本発明の実施の形態１における自動電話網選択システムのブロック図
【図３】本発明の実施の形態２における自動電話網選択システムのイメージ図
【図４】本発明の実施の形態２における自動電話網選択システムのブロック図
【図５】従来の自動電話網選択システムのイメージ図
【図６】従来の携帯電話コードレスシステムのイメージ図
【符号の説明】
１　携帯電話機
２　固定電話機
３　携帯電話網
４　固定電話網
５　ＰＣ（コンピュータ）
６　無線装置
１１　キーパッド
１２　無線インターフェース選択制御部
１３Ａ，１３Ｂ，１３Ｃ　短距離無線部
１４　携帯電話部
１５　マイク
１６　スピーカ
１７　自動電話網選択制御部
１８　回線制御部
１９　マイク
２０　スピーカ
２１　キーパッド
２２　回線ケーブル
２３　通話料金テーブル
２４　ＰＣインターフェース部
２５　短距離無線制御部
１００　固定電話機ａ
１０１　市内固定電話網
１０２　交換機ａ
１０３　固定電話網Ａ
１０４　固定電話網Ｂ
１０５　交換機ｂ
１０６　市内固定電話網
１０７　固定電話機ｂ
１１０　携帯電話機
１１１　携帯電話親機
【図１】
2004072588.tif 000003
【図２】
2004072588.tif 000004
【図３】
2004072588.tif 000005
【図４】
2004072588.tif 000006
【図５】
2004072588.tif 000007
【図６】
2004072588.tif 000008